(57)【要約】      （修正有）【課題】幼児にとっての使いやすさが大幅に向上し、児童の興味増進に資する電子音声発生書籍を提供する。【解決手段】書籍本体１、音声発生装置２及び書籍本体内に設けられたスイッチボタンユニット３を含み、書籍本体が、書籍表面１１、書籍底１２及び複数のページを含み、音声発生装置が書籍底に取り付けられ、スイッチボタンユニットと音声発生装置が電気的に接続されるページ識別構造を備えた。【選択図】図１
2017087710.tif 000002
【特許請求の範囲】
【請求項１】
書籍本体、音声発生装置及び書籍本体内に設けられたスイッチボタンユニットを含み、
前記書籍本体は、書籍表面、書籍底及び複数のページを含み、前記音声発生装置は書籍底に取り付けられ、前記スイッチボタンユニットと音声発生装置が電気的に接続されるページ識別構造を備えた電子音声発生書籍。
【請求項２】
前記音声発生装置は、スピーカー、電池及び回路基板を含み、前記回路基板はスピーカーと電池にそれぞれ接続され、前記回路基板には、ページの内容に対応する音声データが予め記録された再生チップが設けられており、前記再生チップのピンはスイッチボタンユニットのインタフェースリードにそれぞれ接続され、スピーカーの両端は、それぞれ再生チップの２つの音声出力端子に接続される請求項１記載のページ識別構造を備えた電子音声発生書籍。
【請求項３】
前記スイッチボタンユニットは、第１スイッチボタン群及び第２スイッチボタン群を含み、前記第１スイッチボタン群と第２スイッチボタン群はいずれも再生チップに接続され、前記第１スイッチボタン群は書籍表面の背の近傍に、前記第２スイッチボタン群は書籍底の背の近傍に固着される請求項１又は２記載のページ識別構造を備えた電子音声発生書籍。
【請求項４】
前記第１スイッチボタン群と第２スイッチボタン群のスイッチボタンは、いずれも背から突出している請求項３記載のページ識別構造を備えた電子音声発生書籍。
【請求項５】
各前記ページの背には、スイッチボタンに対応する凹溝が設けられている請求項４記載のページ識別構造を備えた電子音声発生書籍。
【請求項６】
前記凹溝の幅はスイッチボタンの幅よりも大きく、前記凹溝の奥行きはスイッチボタンの高さより大きい請求項５記載のページ識別構造を備えた電子音声発生書籍。
【請求項７】
前記スイッチボタンユニットのスイッチボタンは、各ページにそれぞれ設けられる請求項１又は２記載のページ識別構造を備えた電子音声発生書籍。
【請求項８】
各ページの背にはスイッチボタンを取り付けるための凹部が設けられ、前記スイッチボタンが背から突出している請求項７記載のページ識別構造を備えた電子音声発生書籍。
【発明の詳細な説明】
【技術分野】
【０００１】
本発明は、電子音声発生装置に関し、特に、ページ識別構造を備えた電子音声発生書籍に関する。
【背景技術】
【０００２】
電子書籍は、児童の視覚、聴覚、知力の成長に有益な読み物であり、近年たいへん人気の商品として多くの保護者が好んで児童に買い与えている。児童は、ボタンを押下することで本の内容に対応した音声や音楽を再生可能なため、読み物としての面白みとインタラクティブ性が高まり、従来の学習形式を覆すものとなっている。また、この技術による電子書籍を用いれば、児童がスイッチボタンを押さなくとも、任意のページを開きさえすれば書籍から発せられる美しい音声を聴くことが可能となる。
【０００３】
市販の電子音声発生書籍には、一般的にリジッド性のプリント基板や電線、金属弾性片（いわゆるメタルドーム）といった従来型の電子部品が用いられているため、操作面では金属弾性片の導通性や安定した弾性回復から、導通性に優れ、手触りの良いスイッチ作用を提供可能である。一方、使用時にはスイッチボタンを押下すれば音声が発せられるようになっているが、金属弾性片を押下するには一定の力が必要とされ、幼児にはやや難度が高い。
【０００４】
ほかにもこうした機能を備えた製品は市販されているが、いずれもプラスチック部材を用いるのではなく、書籍背部分の導電インクが印刷された薄膜シートにより実現されている。プラスチック部材は、耐用性があり安定性に優れるとの長所がある一方、分厚く環境保護に適しているとはいえないため、書籍には通常用いられない。これに対し、導電インクによる薄膜シートは薄くはあるが、安定性に劣るほか、大量生産に向かない。
【発明の概要】
【発明が解決しようとする課題】
【０００５】
上記の技術的課題を解決するために、本発明は、操作が簡単で安定性の高いページ識別構造を備えた電子音声発生書籍を提供することを目的とする。
【課題を解決するための手段】
【０００６】
本発明では、以下の技術方案を用いる。
【０００７】
ページ識別構造を備えた電子音声発生書籍であって、書籍本体、音声発生装置及び書籍本体内に設けられたスイッチボタンユニットを含み、前記書籍本体が、書籍表面、書籍底及び複数のページを含み、前記音声発生装置は書籍底に取り付けられ、前記スイッチボタンユニットと音声発生装置が電気的に接続される。
【０００８】
本発明の更なる改良として、前記音声発生装置は、スピーカー、電池及び回路基板を含み、前記回路基板はスピーカーと電池にそれぞれ接続され、前記回路基板には、ページの内容に対応する音声データが予め記録された再生チップが設けられており、前記再生チップのピンはスイッチボタンユニットのインタフェースリードにそれぞれ接続され、スピーカーの両端は、それぞれ再生チップの２つの音声出力端子に接続される。
【０００９】
本発明の更なる改良として、前記スイッチボタンユニットは、第１スイッチボタン群及び第２スイッチボタン群を含み、前記第１スイッチボタン群と第２スイッチボタン群はいずれも再生チップに接続され、前記第１スイッチボタン群は書籍表面の背の近傍に、前記第２スイッチボタン群は書籍底の背の近傍に固着される。
【００１０】
本発明の更なる改良として、前記第１スイッチボタン群と第２スイッチボタン群のスイッチボタンは、いずれも背から突出している。
【００１１】
本発明の更なる改良として、各前記ページの背には、スイッチボタンに対応する凹溝が設けられている。
【００１２】
本発明の更なる改良として、前記凹溝の幅はスイッチボタンの幅よりも大きく、前記凹溝の奥行きはスイッチボタンの高さより大きい。
【００１３】
本発明の更なる改良として、前記スイッチボタンユニットのスイッチボタンは、各ページにそれぞれ設けられる。
【００１４】
本発明の更なる改良として、各ページの背にはスイッチボタンを取り付けるための凹部が設けられ、前記スイッチボタンが背から突出している。
【発明の効果】
【００１５】
本発明は、次のような有益な効果を有する。即ち、本発明のページ識別構造を備えた電子音声発生書籍によれば、書籍本体内に設けられたスイッチボタンユニットによって、電子音声発生書籍のページがめくられると書籍が自動的にページ数を識別するとともに、関連の内容について音声を発生させる。これによれば、ボタンを押下する必要がなくなるため、使いやすく、操作が簡単となる。よって、幼児にとっての使いやすさが大幅に向上し、児童の興味増進に資する。更に、従来技術と比較して、本発明はより小型化及び薄型化されているため、生産コストを効果的に削減可能なほか、生産面ではより組み立てやすくなり、且つ環境保護にたいへん適している。本発明の再生チップは音声チップに限らず、他のチップを用いることで、ランプ、画像、映像又は動作等の別の出力も可能となる。
【００１６】
以下に、図面を組み合わせて本発明の具体的実施形態につき更に説明する。
【図面の簡単な説明】
【００１７】
【図１】図１は、本発明のページ識別構造を備えた電子音声発生書籍の実施例１の構造を示す図である。
【図２】図２は、本発明のページ識別構造を備えた電子音声発生書籍の実施例１の側面構造を示す図である。
【図３】図３は、本発明のページ識別構造を備えた電子音声発生書籍の実施例２の構造を示す図である。
【図４】図４は、本発明のページ識別構造を備えた電子音声発生書籍の実施例２のスイッチボタン動作を示す図である。
【図５】図５は、本発明のページ識別構造を備えた電子音声発生書籍の原理を示すブロック図である。
【発明を実施するための形態】
【００１８】
図１及び図５を参照して、本発明のページ識別構造を備えた電子音声発生書籍は、書籍本体１、音声発生装置２及び書籍本体１内に設けられたスイッチボタンユニット３を含む。前記書籍本体１は、書籍表面１１、書籍底１２及び複数のページ１３を含む。前記音声発生装置２は書籍底１２に取り付けられ、前記スイッチボタンユニット３と音声発生装置２は電気的に接続される。
【００１９】
更に、好ましい実施形態として、前記音声発生装置２はスピーカー２１、電池２２及び回路基板２３を含み、前記回路基板２３はスピーカー２１と電池２２にそれぞれ接続される。前記回路基板２３には、ページ１３の内容に対応する音声データが予め記録された再生チップ２４が設けられており、前記再生チップ２４のピンは、スイッチボタンユニット３のインタフェースリードにそれぞれ接続される。また、スピーカー２１の両端は、それぞれ再生チップ２４の２つの音声出力端子に接続される。
【００２０】
更に、好ましい実施形態として、前記スイッチボタンユニット３は、第１スイッチボタン群３１及び第２スイッチボタン群３２を含み、前記第１スイッチボタン群３１と第２スイッチボタン群３２は、いずれも再生チップ２４に接続される。前記第１スイッチボタン群３１は書籍表面１１の背の近傍に、前記第２スイッチボタン群３２は書籍底１２の背の近傍に固着している。
【００２１】
更に、好ましい実施形態として、前記第１スイッチボタン群３１と第２スイッチボタン群３２のスイッチボタン３３は、いずれも背から突出している。
【００２２】
更に、好ましい実施形態として、各前記ページ１３の背には、スイッチボタン３３に対応する凹溝１３１が設けられている。
【００２３】
更に、好ましい実施形態として、前記凹溝１３１の幅はスイッチボタン３３の幅よりも大きく、前記凹溝１３１の奥行きはスイッチボタン３３の高さより大きい。
【００２４】
本発明の実施例ではページ１３のページ数が８ページであることから、スイッチボタン３３は８つとされ、第１スイッチボタン群３１と第２スイッチボタン群３２がそれぞれ４つを有する。ページを１枚めくるごとに、例えば１ページ目の場合、書籍表面１１における第１スイッチボタン群３１の４つのスイッチボタン３３が書籍表面１１とともにめくられて、次ページの背に接触する。図２に示すように、次ページの背には予め３つの凹溝１３１が設けられていることから、１ページ目をめくると、スイッチボタン３３のうち３つが凹溝１３１に収納され、１つのみが背に接触してオンとなる。そして、既定のプログラムの下で対応するページの音声が起動される。残りのページについても同様の原理である。
【００２５】
更に、本実施例では８ページの書籍としているが、本発明は他のページ数の書籍にも適用可能である。
【００２６】
更に、スイッチボタン３３の数は書籍のページ数と一致していなくてもよい。例えば、上の４ページを制御する場合、３つのスイッチボタン３３のみを必要とし、例えば第１スイッチボタン３３で１ページ目を、第２スイッチボタン３３で２ページ目を、第３スイッチボタン３３で３ページ目を、最後に２つのスイッチボタン３３（例えば、第１スイッチボタン３３と第２スイッチボタン３３）で４ページ目を制御するというように、異なる組み合わせで接触させることにより、スイッチボタン３３の数を減少させ、コストを削減することが可能となる。
【００２７】
図３及び図４を参照して、上述とは別の実施形態として、前記スイッチボタンユニット３のスイッチボタン３３は、各ページ１３にそれぞれ設けられる。
【００２８】
更に、好ましい実施形態として、各ページ１３の背にはスイッチボタン３３を取り付けるための凹部１３２が設けられ、前記スイッチボタン３３が背から突出している。
【００２９】
本実施例の書籍は、書籍表面１１が１枚、ページ１３が８枚の計９ページからなり、書籍表面１１を除く８枚のページ１３に独立した８つのスイッチボタン３３が必要とされる。
【００３０】
書籍表面がめくられると、書籍表面の背部分が１ページ目のスイッチボタン３３に接触し、対応するプログラムに従って１ページ目の内容が再生される。同様に、１ページ目がめくられると、１ページ目のスイッチボタン３３が２ページ目の背に接触するとともに、書籍表面の背と１ページ目の背もそれぞれ３ページ目と２ページ目のスイッチボタン３３に接触する。１ページ目、２ページ目及び３ページ目のスイッチボタン３３に同時に接触することで、対応するプログラムに従って１ページ目の内容が再生される。他についても同様である。
【００３１】
更に、異なる組み合わせでの接触及びプログラムを組み合わせることで、スイッチボタン３３の数を減少させ、コスト削減することが可能となる。
【００３２】
更に、ページ１３が識別されると、書籍本体１内の処理デバイスがページ１３に関する音声、ランプ又は映像を起動させる。具体的に、これには歌唱、読み上げ、音楽再生、スクリーンにおける図柄又は映像等の表示などが含まれる。
【００３３】
以上から明らかなように、本発明によれば、書籍本体１内に設けられたスイッチボタンユニット３によって、電子音声発生書籍のページ１３がめくられると書籍が自動的にページ数を識別するとともに、関連の内容について音声を発生させる。これによれば、ボタンを押下する必要がなくなるため、使いやすく、操作が簡単となる。よって、幼児にとっての使いやすさが大幅に向上し、児童の興味増進に資する。更に、従来技術と比較して、本発明はより小型化及び薄型化されているため、生産コストを効果的に削減可能なほか、生産面ではより組み立てやすくなり、且つ環境保護にたいへん適している。
【００３４】
以上、本発明の好ましい実施形態について具体的に説明したが、本発明は上述の実施例に限定されない。当業者であれば、本発明の精神から逸脱しないことを前提に各種の等価の変形や置き換えが可能であり、これら等価の変形や置き換えは、いずれも本願の特許請求の範囲に包含される。
【図１】
2017087710.tif 000003
【図２】
2017087710.tif 000004
【図３】
2017087710.tif 000005
【図４】
2017087710.tif 000006
【図５】
2017087710.tif 000007